(57)【要約】【課題】  この発明は、体型補正性、姿勢保持性、および可動性を実現する水着を提供する。【解決手段】  この発明の水着は、体表に密着する上身頃１０、肩部１１、臀部１２、股間部１３を覆う領域を備える水着において、前腋窩点を通る身体の前後方向の縦断面における身体表前面の輪郭線を前腋窩線４４、後腋窩点を通る身体の前後方向の縦断面における身体表後面の輪郭線を後腋窩線とし、静止立位時の身体前面における左右の前腋窩線４４に囲まれる範囲を覆う第１の領域１と、静止立位時の体側における前腋窩線と後腋窩線に囲まれ、下端をウエストライン４６とする範囲を覆う第２の領域２と、を有し、生地の身体長軸方向の伸縮性、身体周囲方向の伸縮性をそれぞれ所定の値に設定する。【選択図】    図２
2015086482.tif 000002
【特許請求の範囲】
【請求項１】
体表に密着する上身頃、肩部、臀部、股間部を覆う領域を備える水着において、
前腋窩点を通る身体の前後方向の縦断面における身体前面の輪郭線を前腋窩線、後腋窩点を通る身体の前後方向の縦断面における身体後面の輪郭線を後腋窩線とし、
静止立位時の身体前面における左右の前腋窩線に囲まれる範囲を覆う第１の領域と、
静止立位時の体側における前腋窩線と後腋窩線に囲まれ、下端をウエストラインとする範囲を覆う第２の領域とを有し、
前記第１の領域の生地の伸縮性と前記第２の領域の生地の伸縮性は、以下の（ａ）〜（ｃ）に設定されていることを特徴とする水着。
（ａ）前記第２の領域の生地の身体長軸方向の伸縮性は、第１の領域の生地の身体長軸方向の伸縮性よりも高く、
（ｂ）前記第２の領域の生地の身体長軸方向の伸縮性は、第２の領域の生地の身体周囲方向の伸縮性よりも高く、
（ｃ）前記第２の領域の生地の身体長軸方向の伸縮性は、第１の領域の生地の身体周囲方向の伸縮性よりも高い。
【請求項２】
前記第１の領域の生地の身体長軸方向の伸縮性は、第２の領域の生地の身体周囲方向の伸縮性よりも高く設定されていることを特徴とする請求項１に記載の水着。
【請求項３】
前記第２の領域の生地の身体周囲方向の伸縮性は、第１の領域の生地の身体周囲方向の伸縮性と同等に設定されていることを特徴とする請求項１又は２に記載の水着。
【請求項４】
静止立位時の体側における前腋窩線と後腋窩線に囲まれ、上端をウエストライン、下端を腸骨稜の上端とする範囲を覆う第３の領域をさらに有し、
前記第１の領域の生地の伸縮性と前記第３の領域の生地の伸縮性は、以下の（ｄ）〜（ｆ）に設定されていることを特徴とする請求項１〜３のいずれか１項に記載の水着。
（ｄ）前記第３の領域の生地の身体長軸方向の伸縮性は、第１の領域の生地の身体長軸方向の伸縮性よりも高く、
（ｅ）前記第３の領域の生地の身体長軸方向の伸縮性は、第３の領域の生地の身体周囲方向の伸縮性よりも高く、
（ｆ）前記第３の領域の生地の身体長軸方向の伸縮性は、第１の領域の生地の身体周囲方向の伸縮性よりも高い。
【請求項５】
前記第１の領域の生地の身体長軸方向の伸縮性は、第３の領域の生地の身体周囲方向の伸縮性よりも高く設定されていることを特徴とする請求項４に記載の水着。
【請求項６】
前記第３の領域の生地の身体周囲方向の伸縮性は、第１の領域の生地の身体周囲方向の伸縮性と同等に設定されていることを特徴とする請求項４又は５に記載の水着。
【請求項７】
前記第１の領域における前記第２の領域と接する第１の境界を有し、
前記第１の境界の生地の伸縮性と、第１の領域の生地と第２の領域の生地の伸縮性が、以下の（ｇ），（ｈ）に設定されていることを特徴とする請求項１〜６のいずれか１項に記載の水着。
（ｇ）第１の境界の生地の身体長軸方向の伸縮性は、第１の領域と第２の領域の長軸方向の伸縮性の間の値、
（ｈ）第１の境界の生地の身体周囲方向の伸縮性は、第１の領域と第２の領域の周囲方向の伸縮性の少なくとも一方と同等、又は第１の領域と第２の領域の周囲方向の伸縮性の間の値。
【請求項８】
第１の境界の生地の身体長軸方向の伸縮性は、周囲方向に第２の領域との境界線に向かって第１の領域の長軸方向の伸縮性に近い値から第２の領域の長軸方向の伸縮性に近づいて順次変化することを特徴とする請求項７に記載の水着。
【請求項９】
前記第１の領域における前記第３の領域と接する第２の境界を有し、
前記第２の境界の生地の伸縮性と、第１の領域の生地と第３の領域の生地の伸縮性が、以下の（ｉ），（ｊ）に設定されていることを特徴とする請求項４〜８のいずれか１項に記載の水着。
（ｉ）第２の境界の生地の身体長軸方向の伸縮性は、第１の領域と第３の領域の長軸方向の伸縮性の間の値、
（ｊ）第２の境界の生地の身体周囲方向の伸縮性は、第１の領域と第３の領域の周囲方向の伸縮性の少なくとも一方と同等、又は第１の領域と第３の領域の周囲方向の伸縮性の間の値。
【請求項１０】
第２の境界の生地の身体長軸方向の伸縮性は、周囲方向に第３の領域との境界線に向かって第１の領域の長軸方向の伸縮性に近い値から第３の領域の長軸方向の伸縮性に近づいて順次変化することを特徴とする請求項９に記載の水着。
【発明の詳細な説明】
【技術分野】
【０００１】
この発明は、体型補正性、姿勢保持性、および可動性を実現する水着、特に競技用水着に関するものである。
【背景技術】
【０００２】
水泳競技は定められた距離をより速く泳ぐことを競う種目である。泳速度は、推進力の増大と抵抗の低減によって、増大が見込まれる。
【０００３】
抵抗の低減については、空気中と比較して水の密度は高く、水中での抵抗の影響は大きい。そのため、水着の着圧を高め、体型補正を行い、進行方向に対する垂直面への投影面積を小さくすることや、凹凸を減らし水の抵抗を低減することが求められる。加えて、泳動作中の姿勢についても、投影面積に影響を及ぼすことは明らかで、ストリーム姿勢の保持が求められる。
【０００４】
推進力を得るためには、ストローク動作やキック動作を行い、より多くの水を掻くことが求められると共に、泳者は抵抗の少ない泳技術を実行しなければならない。
【０００５】
これらのことから、水着、特に競泳用水着には、体型補正性、姿勢保持性、およびストロークやキック動作における可動性が求められる。
【０００６】
体型補正性を最大限にするために、従来の競泳用水着は、４ｋＰａ以上の大きな着圧がかかる設計となっている。大きな着圧をかけるためには、生地の伸縮性を低くすることが必要である。そして、着用時の伸長に伴う着圧が身体を圧迫し投影面積を減少させる。しかしながら、伸縮性の低い素材は、ストリーム姿勢保持性や可動性を妨げる。
【０００７】
最大限の推進力を得るためには、泳動作時に肩関節を可動範囲いっぱいまで動かすことになる。肩関節の動作に伴い体側に大きな皮膚の伸びが生じるが、一般的な競泳水着は、皮膚伸びにあまり追従しない。該当部位の生地の伸縮性が低いことによって、動作の制限に繋がっている。ストリームライン姿勢の保持における上腕の挙上時でも、同様のことが見られる。
【０００８】
装着者が所定の動作を行いやすい水着が特許文献１に提案されている。この水着は、図１４に示すように、装着時に装着者の体に密着するように形成されたものであって、所定の伸縮性を有する上半身本体部１１０及び下半身本体部１４０と、装着者の肋骨近傍に相当する領域（脇身頃部１２１）、及び装着者の鼠径部から大腿部内側付近に相当する領域（内股部１２２）に配置され、上半身本体部１１０および下半身本体部１４０よりも伸縮性の高い弱緊締部分１２０とを備えるものである。
【０００９】
上記特許文献１に記載の水着は、肋骨近傍に相当する領域および鼠径部から大腿部内部付近に相当する領域に上半身本体部１１０および下半身本体部１４０よりも伸縮性の高い素材を配することで、泳動作における腕を回したり、足を動かしたりする動作を行いやすいようにしたものである。
【００１０】
また、特許文献２には、泳動作に伴う皮膚伸びの大きな部位に該当する、腋の下方にパネルのない伸縮性のある生地からなる胴部分を残した水着が提案されている。
【００１１】
上記した特許文献１の水着では、泳動作に伴う皮膚の伸びの大きな部位を肋骨近傍に相当する領域、および鼠径部から大腿部内側付近に相当する領域と推定し、泳動作を阻害しないように、同部位に伸縮性の高い素材を配し、丈方向の伸長率について、任意の力で荷重した際の伸長量が、他の部位よりも大きいことが記載されている。しかし、体型補正性を得るためには、大きな着圧をかける必要がある。着圧は、着用時の伸長と素材の伸縮性に起因し、伸縮性を大きくすると着圧の減少が必然的に生じ、体型補正性が損なわれることになる。
【００１２】
また、特許文献２に示す水着においては、泳動作に伴う皮膚の伸びの大きな部位に該当する、腋の下方にパネルのない伸縮性のある生地からなる胴部分を残すように構成されている。しかし、この水着においては、泳動作に伴い皮膚伸びが増大する脇前側に高弾性パネルを配しており、可動性を妨げている。
【先行技術文献】
【特許文献】
【００１３】
【特許文献１】特開２００９−２６３８４１号公報
【特許文献２】特開２００８−１５０７６７号公報
【発明の概要】
【発明が解決しようとする課題】
【００１４】
従来の水着においては、体型補正性、姿勢保持性、および可動性の並立を実現することができなかった。
【００１５】
この発明は、上記した従来の問題点を解消するためになされたものにして、体型補正性、姿勢保持性、および可動性を実現する水着を提供することを課題とする。
【課題を解決するための手段】
【００１６】
この発明の水着は、体表に密着する上身頃、肩部、臀部、股間部を覆う領域を備える水着において、前腋窩点を通る身体の前後方向の縦断面における身体前面の輪郭線を前腋窩線、後腋窩点を通る身体の前後方向の縦断面における身体後面の輪郭線を後腋窩線とし、静止立位時の身体前面における左右の前腋窩線に囲まれる範囲を覆う第１の領域と、静止立位時の体側における前腋窩線と後腋窩線に囲まれ、下端をウエストラインとする範囲を覆う第２の領域とを有し、
前記第１の領域の生地の伸縮性と前記第２の領域の生地の伸縮性は、以下の（ａ）〜（ｃ）に設定されている。
（ａ）前記第２の領域の生地の身体長軸方向の伸縮性は、第１の領域の生地の身体長軸方向の伸縮性よりも高く、
（ｂ）前記第２の領域の生地の身体長軸方向の伸縮性は、第２の領域の生地の身体周囲方向の伸縮性よりも高く、
（ｃ）前記第２の領域の生地の身体長軸方向の伸縮性は、第１の領域の生地の身体周囲方向の伸縮性よりも高い。
【００１７】
また、前記第１の領域の生地の身体長軸方向の伸縮性は、第２の領域の生地の身体周囲方向の伸縮性よりも高く設定するとよい。
【００１８】
また、前記第２の領域の生地の身体周囲方向の伸縮性は、第１の領域の生地の身体周囲方向の伸縮性と同等に設定するとよい。
【発明の効果】
【００１９】
この発明によれば、身体周囲方向の着圧を維持しつつ、ストリーム姿勢時やストローク動作時の皮膚の伸び分布に生地を追従させることができ、体型補正性、姿勢保持性、および可動性を実現することができる。
【図面の簡単な説明】
【００２０】
【図１】この発明の水着における各領域を特定するための模式図である。
【図２】この発明の水着における各領域を特定するための模式図である。
【図３】この発明の水着における各領域と伸縮性の関係を示す模式図である。
【図４】この発明の水着を示し、（ａ）は正面図、（ｂ）は背面図である。
【図５】（ａ）〜（ｃ）は、ヌードでのストリーム姿勢時の皮膚伸びの分布を示す説明図である。
【図６】この発明の水着における各領域と伸縮性の関係を示す模式図である。
【図７】この発明の実施例および比較例に用いた水着の各領域における生地の伸縮性を測定した結果を示す図である。
【図８】ストリームライン姿勢保持時の皮膚伸び分布を示し、（ａ）は、皮膚伸びを測定した領域を示す模式図、（ｂ）は後腋窩線を含む後面の皮膚伸び分布図、（ｃ）は前腋窩線を含む前面の皮膚伸び分布図である。
【図９】ストリームライン姿勢保持時の皮膚および生地伸び分布を示し、（ａ）は、皮膚および生地伸びを測定した領域を示す模式図、（ｎ）はヌードの皮膚伸び分布図、（ｂ）は実施例の生地伸び分布図、（ｈ）は比較水着の生地伸び分布図である。
【図１０】背泳模擬動時の皮膚および生地伸び分布を示し、（ａ）は、皮膚および生地伸びを測定した領域を示す模式図、（ｎ）はヌードの皮膚伸び分布図、（ｂ）は実施例の生地伸び分布図、（ｈ）は比較水着の生地伸び分布図である。
【図１１】着圧の測定結果を示す図である。
【図１２】周囲長を測定した位置を示す図であり、（ａ）はバスト囲、（ｂ）は下腹囲の位置を示している。
【図１３】実施例に用いた水着の各領域における生地の伸縮性を測定した結果を示す図である。
【図１４】従来の水着を示す模式図である。
【発明を実施するための形態】
【００２１】
以下、この発明の実施形態の水着について図面を参照しながら詳細に説明する。この実施形態の水着は、例えば、競技用の水着であり、図１〜図３に示すように、体表に密着する上身頃１０、肩部１１、臀部１２、股間部１３を覆う領域を備えており、この水着において領域を定義し、それぞれの領域において、それぞれの伸縮性を設定したものである。
【００２２】
まず、各領域の定義について説明する。図１に示すように、前腋窩点４１を通る身体の前後方向の縦断面における身体前面の輪郭線を前腋窩線４４、後腋窩点４２を通る身体の前後方向の縦断面における身体後面の輪郭線を後腋窩線４５とする。
【００２３】
図１および図２に示すように、静止立位時の身体前面における左右の前腋窩線４４、４４に囲まれる範囲を覆う領域を第１の領域１、静止立位時の体側における前腋窩線４４と後腋窩線４５に囲まれ、下端をウエストラインとする範囲を覆う領域を第２の領域２、静止立位時の体側における前腋窩線４４と後腋窩線４５に囲まれ、上端をウエストライン４６、下端を腸骨稜の上端とする範囲を覆う領域を第３の領域３とする。
【００２４】
図３に示すように、第１の領域１における第２の領域２と接する箇所を第１の境界４７、第１の領域における前記第３の領域と接する箇所を第２の境界４８とする。ここで、境界４７、４８の巾は、それぞれ第１の領域１の１／３以下である。
【００２５】
そして、この発明は、図３に示すように、上記した各領域および境界において、生地の身体長軸方向の伸縮性、生地の身体周囲方向の伸縮性をそれぞれ所定の値に設定することで、体型補正性、姿勢保持性、および可動性を実現するものである。
【００２６】
ここで、第１の領域１の生地の身体長軸方向の伸縮性をＳ１、第１の領域１の生地の身体周囲方向の伸縮性をＳ２、第２の領域２の生地の身体長軸方向の伸縮性をＳ３、第２の領域２の生地の身体周囲方向の伸縮性をＳ４、第３の領域３の生地の身体長軸方向の伸縮性をＳ５、第３の領域３の生地の身体周囲方向の伸縮性をＳ６、第１の境界４７の生地の身体長軸方向の伸縮性をＳ７、第１の境界４７の生地の身体周囲方向の伸縮性をＳ８、第２の境界４８の生地の身体長軸方向の伸縮性をＳ９、第２の境界４８の生地の身体周囲方向の伸縮性をＳ１０とする。
【００２７】
ところで、上記した第１の領域１、第２の領域２、第３の領域３は、標準体型の者がこの実施形態の水着の該当するサイズを体表に密着して装着したときに相当する箇所を想定して特定している。図４に示す泳者が装着しない状態の水着においては、次のように定義することができる。
【００２８】
上身頃１０の前面において、水着のフロント中心線を中心として、巾をウエストライン４６の周囲長の４０％とし（上身頃において、水着の脇線１０ａを中心として、巾をウエストライン４６の周囲長の１０％とする範囲を除いた）、股下を下端とする範囲を覆う領域が第１の領域１、上身頃において、水着の脇線１０ａを中心として、巾をウエストライン周囲長の１０％、下端を水着のウエストライン４６とする範囲を覆う領域が第２の領域２、水着の脇線１０ａを中心として、上端を水着のウエストライン４６、下端をミドルヒップライン４６ｍ、巾をウエストライン周囲長の１０％とする範囲を覆う領域が第３の領域３となる。また、第１の境界４７は、第１の領域１において、第２の領域２と接する領域で、巾はそれぞれ第１の領域１の１／３以下である。第２の境界４８は、第１の領域１において、第３の領域３と接する領域で、巾はそれぞれ第１の領域１の１／３以下である。
【００２９】
次に、第１の領域１、第２の領域２、第３の領域３を上記のように特定した理由について説明する。図５（ａ）〜（ｃ）は、ヌードでのストリーム姿勢時の皮膚伸びの分布を示す説明図である。図５（ａ）は身体前面における皮膚伸びの分布を示す説明図であり、図５（ｂ）は身体側面における皮膚伸びの分布を示す説明図であり、図５（ｃ）は身体前面における上肢挙上時の皮膚伸びの分布を示す説明図である。また、矢印は、皮膚の伸びる方向を示している。
【００３０】
図５（ａ）、（ｂ）に示すように、身体前面の中央付近（第１の領域１）では、静止立位時を０％とした場合、４０％未満の皮膚伸びしか生じておらず、ストリーム姿勢の保持において、コアとしての役割を果たしている。一方で、肩関節の動作に伴い、体側におけるウエストラインよりも上部（第２の領域２）では、８０％以上の非常に大きな皮膚伸びが生じている。更に、体側におけるウエストから腸骨稜にかけての第３の領域３においても４０〜８０％の中程度の皮膚伸びが生じている。
【００３１】
この皮膚の伸び分布の伸び量と伸びの方向に対応するように水着の伸縮性を設定すれば、体型補正性、姿勢保持性、および可動性を実現することができると考えられる。そこで、皮膚伸びがあまり大きくない領域である第１の領域１は、上記の通り、身体前面において、静止立位時の左右の前腋窩線４４、４４に囲まれる範囲を覆う領域とする。尚、水着自体では、上半身前面において、水着のフロント中心線を中心として、巾をウエストライン周囲長の４０％とし、股下を下端とする範囲を覆う領域とする。
【００３２】
皮膚伸びが非常に大きい領域である第２の領域２は、体側において、静止立位時の前腋窩線４４と後腋窩線４５に囲まれ、ウエストライン４６を下端とした範囲を覆う領域とする。尚、水着自体では、水着の脇線１０ａを中心として、水着のウエストライン４６を下端とする、巾がウエストライン周囲長の１０％を覆う領域とする。
【００３３】
皮膚伸びがやや大きい領域である第３の領域３は、体側において、静止立位時の前腋窩線と後腋窩線に囲まれ、ウエストラインを上端とし、腸骨稜の上端を下端とした範囲を覆う領域とする。尚、水着自体では、水着の脇線１０ａを中心として、ウエストライン４６を上端とし、ミドルヒップライン４６ｍを下端とした、巾がウエストライン周囲長の１０％を覆う領域となる。ミドルヒップライン４６ｍは、ウエストラインとヒップラインの中央のラインで規定され、着用時は上前腸骨棘付近を通るラインを示す。
【００３４】
次に、各領域の生地の身体長軸方向の伸縮性、生地の身体周囲方向の伸縮性の設定の値につき、以下に詳述する。ここで、本明細書において、「各領域の生地の伸縮性」とは「各領域全体の生地の伸縮性」を意味する。つまり、各領域中で部分的に伸縮性が相違している場合でも、一部分のみに着目して伸縮性を評価するのではなく、各領域を全体的に見て伸縮性を評価する。また、「各領域の生地の伸縮性」は、生地を構成する糸の編み方や織り方、生地の重ね合わせ、樹脂加工、等の種々の加工によって適宜調整することができる。
【００３５】
第１の領域１の生地の伸縮性と第２の領域２の生地の伸縮性は、以下の（ａ）〜（ｃ）に設定する。
（ａ）第２の領域２の生地の身体長軸方向の伸縮性Ｓ３は、第１の領域１の生地の身体長軸方向の伸縮性Ｓ１よりも高く（Ｓ３＞Ｓ１）、
（ｂ）前記第２の領域２の生地の身体長軸方向の伸縮性Ｓ３は、第２の領域２の生地の身体周囲方向の伸縮性Ｓ４よりも高く（Ｓ３＞Ｓ４）、
（ｃ）前記第２の領域２の生地の身体長軸方向の伸縮性Ｓ３は、第１の領域１の生地の身体周囲方向の伸縮性Ｓ２よりも高い（Ｓ３＞Ｓ２）。
上記した伸縮性の差は１０％以上あることが好ましい。
【００３６】
図６に示すように、第１の領域１、第２の領域２においては、身体周囲方向の伸縮性、Ｓ２、Ｓ４を、身体長軸方向の伸縮性Ｓ３より低くする。第１の領域１、第２の領域２における身体周囲方向の伸縮性Ｓ２、Ｓ４を低くすることによって、着用時の生地の伸長に伴い大きな着圧が生じ、突出しやすい胸部の体型補正性が向上する。その結果、投影面積が減少し、抵抗が小さくなり、泳速度が損なわれない。
【００３７】
また、第１の領域１における身体長軸方向の伸縮性Ｓ１を、第２の領域２における身体長軸方向の伸縮性Ｓ３より低くする。第１の領域１における身体長軸方向の伸縮性Ｓ１を低くすることによって、ストリーム姿勢の保持において、身体のコアとなる部位を安定させ姿勢保持性を向上させる。
【００３８】
さらに、第２の領域２の身体長軸方向の伸縮性Ｓ３を、第１の領域１の身体長軸方向の伸縮性Ｓ１より高くする。第２の領域２おける身体長軸方向の伸縮性Ｓ３を高くすることによって、生地がストローク動作時の皮膚伸びに追従するようにし、特に、ストローク中のグライド動作（伸び）が妨げられない。グライド動作は、水中で上肢の伸びを行い、身体の先端をストリームラインに近づける動作であり、キックや反対上肢のプル動作によって生じる推進力に対する抵抗を最小にする。また、より前の水をプルすることができる。反対に、キックやプル時に、グライド動作が不十分で、ストリームラインが崩れると、抵抗が大きくなり、推進力のロスが生じる。
【００３９】
更に、第１の領域１の生地の身体長軸方向の伸縮性Ｓ１は、第２の領域２の生地の身体周囲方向の伸縮性Ｓ４よりも高く（Ｓ１＞Ｓ４）設定するとよい。また、第１の領域１の生地の身体長軸方向の伸縮性Ｓ１は、第３の領域３の生地の身体周囲方向の伸縮性Ｓ６よりも高く（Ｓ１＞Ｓ６）設定するとよい。
【００４０】
上記のように、第１の領域１の身体長軸方向の伸縮性Ｓ１を、第２の領域２又は第３の領域３の身体周囲方向の伸縮性をＳ４、Ｓ６よりも高くすることで、ストリーム姿勢を保持するための体幹直立の際に生じる、第１の領域１の身体長軸方向の突っ張り（図５（ｃ）における胸部中央の皮膚伸び）を緩和することができ、姿勢保持性が向上する。
【００４１】
また、第１の領域１、第２の領域２における身体周囲方向の伸縮性Ｓ２、Ｓ４が、第１の領域１、第２の領域２における身体長軸方向の伸縮性Ｓ１、Ｓ３よりも、低いことにより、着用者は動作に伴う身体長軸方向の突っ張りよりも、体幹中央方向への着圧を感じやすく、体軸を意識しやすくなり、姿勢保持性が向上する。
【００４２】
更に、第２の領域２の生地の身体周囲方向の伸縮性Ｓ４は、第１の領域１の生地の身体周囲方向の伸縮性Ｓ２と同等（Ｓ２≒Ｓ４）に設定するとよい。
【００４３】
上記のように、第１の領域１、第２の領域２において同等の身体周囲方向の低い伸縮性を有することで、周囲方向のどの部位でも体幹中央方向への均一の着圧が加わり、体軸をより安定させることができ、姿勢保持性が向上する。
【００４４】
また、第１の領域１の生地の伸縮性と第３の領域３の生地の伸縮性は、以下の（ｄ）〜（ｆ）に設定するとよい。
（ｄ）第３の領域３の生地の身体長軸方向の伸縮性Ｓ５は、第１の領域１を覆う生地の身体長軸方向の伸縮性Ｓ１よりも高く（Ｓ５＞Ｓ１）、
（ｅ）第３の領域３の生地の身体長軸方向の伸縮性Ｓ５は、第３の領域（は）を覆う生地の身体周囲方向の伸縮性Ｓ６よりも高く（Ｓ５＞Ｓ６）、
（ｆ）第３の領域３の生地の身体長軸方向の伸縮性Ｓ５は、第１の領域１を覆う生地の身体周囲方向の伸縮性Ｓ２よりも高い（Ｓ５＞Ｓ２）。
【００４５】
図６に示すように、第１の領域１、第２の領域２および第３の領域３においては、身体周囲方向の伸縮性Ｓ２、Ｓ４、Ｓ６を、身体長軸方向の伸縮性Ｓ３、Ｓ５より低くする。第１の領域１、第２の領域２、第３の領域３における身体周囲方向の伸縮性Ｓ２、Ｓ４、Ｓ６を低くすることによって、着用時の生地の伸長に伴い大きな着圧が生じ、突出しやすい下腹部の体型補正性が向上する。その結果、投影面積が減少し、抵抗が小さくなり、泳速度が損なわれない。さらに、下腹位での中心部への着圧は腹腔内圧を高めることに寄与すると考えられる。腹腔内圧の増大は、脊柱の起立に寄与し、ストリーム姿勢の姿勢保持性を向上させる効果が期待できる。
【００４６】
また、第１の領域１における身体長軸方向の伸縮性Ｓ１を、第３の領域３における身体長軸方向の伸縮性Ｓ５より低くする。第１の領域１における身体長軸方向の伸縮性Ｓ１を低くすることによって、ストリーム姿勢の保持において、身体のコアとなる部位を安定させ姿勢保持性を向上させる。
【００４７】
さらに、第３の領域３における身体長軸方向の伸縮性Ｓ５を、第１の領域１の身体長軸方向の伸縮性Ｓ１より高くする。第３の領域３おける身体長軸方向の伸縮性Ｓ５を高くすることによって、生地がストローク動作時の皮膚伸びに追従し、特に、ストローク中のグライド動作（伸び）が妨げられない。
【００４８】
更に、第３の領域３の生地の身体周囲方向の伸縮性Ｓ６は、第１の領域１の生地の身体周囲方向の伸縮性Ｓ２と同等（Ｓ２≒Ｓ６）に設定するとよい。
上記のように、第１の領域１、第３の領域３において同等の身体周囲方向の低い伸縮性を有することで、周囲方向のどの部位でも体幹中央方向への均一の着圧が加わり、体軸をより一層安定させることができ、姿勢保持性がより一層向上する。
【００４９】
第１の領域１は第２の領域２と接する第１の境界４７を有し、第１の境界４７の生地の伸縮性と、第１の領域１の生地と第２の領域２の生地の伸縮性が、以下の（ｇ），（ｈ）に設定されるのが好ましい。
（ｇ）第１の境界４７の生地の身体長軸方向の伸縮性Ｓ７は、第１の領域１と第２の領域２の長軸方向の伸縮性Ｓ１およびＳ３の間の値（Ｓ１＜Ｓ７＜Ｓ３）、
（ｈ）第１の境界４７の生地の身体周囲方向の伸縮性Ｓ８は、第１の領域１と第２の領域２の周囲方向の伸縮性Ｓ２およびＳ４の少なくとも一方と同等（Ｓ２＝Ｓ８＝Ｓ４）、又は第１の領域１と第２の領域２の周囲方向の伸縮性Ｓ２およびＳ４の間の値（Ｓ２（Ｓ４）＜Ｓ８＜Ｓ４（Ｓ２））。
【００５０】
第１の境界４７の生地は、単一の伸縮性でもよいが次のようにグラデーションになるように構成してもよい。
【００５１】
第１の境界４７の生地の身体長軸方向の伸縮性Ｓ７は、周囲方向に第２の領域２との境界線に向かって第１の領域１の長軸方向の伸縮性Ｓ１に近い値から第２の領域２の長軸方向の伸縮性Ｓ３に近づいて順次変化するように設定すればよい。
【００５２】
第１の領域１は第３の領域３と接する第２の境界４８を有し、
第２の境界４８の生地の伸縮性と、第１の領域１の生地と第３の領域３の生地の伸縮性が、以下の（ｉ），（ｊ）に設定されるのが好ましい。
（ｉ）第２の境界４８の生地の身体長軸方向の伸縮性Ｓ９は、第１の領域１と第３の領域３の長軸方向の伸縮性Ｓ１およびＳ５の間の値（Ｓ１＜Ｓ９＜Ｓ５）、
（ｊ）第２の境界４８の生地の身体周囲方向の伸縮性Ｓ１０は、第１の領域と第３の領域の周囲方向の伸縮性Ｓ２およびＳ６の少なくとも一方と同等（Ｓ２＝Ｓ１０＝Ｓ６）、又は第１の領域１と第３の領域３の周囲方向の伸縮性Ｓ２およびＳ６の間の値（Ｓ２（Ｓ６）＜Ｓ１０＜Ｓ６（Ｓ２））。
【００５３】
第２の境界４８の生地は、単一の伸縮性でもよいが次のようにグラデーションになるように構成してもよい。
【００５４】
第２の境界４８の生地の身体長軸方向の伸縮性Ｓ９は、周囲方向に第３の領域３との境界線に向かって第１の領域１の長軸方向の伸縮性Ｓ１に近い値から第３の領域３の長軸方向の伸縮性Ｓ５に近づいて順次変化する。
【００５５】
上記したように、身体長軸方向の伸縮性が異なる第１の領域１と第２の領域２、第１の領域１と第３の領域３の境界に該当する水着の身体長軸方向の伸縮性を、両領域の身体長軸方向の中間の値に設定することで、境界で生じるひきつれや違和感を軽減し、上肢の動作であるプル動作やグライド動作を妨げない。また、大きな伸縮性の差を持つ境界では、破れなどの原因となる応力集中が発生するが、境界内の伸縮性が間の値であることで、応力集中を防ぐことができる。境界内は単一の伸縮性でも良いが、周囲方向に第３の領域３との境界線に向かって、伸縮性Ｓ９が徐々に伸縮性Ｓ１から伸縮性Ｓ５に近づいて変化するグラデーションになっているのが好ましい。
【００５６】
次に、伸縮性の詳細を説明する。図６に示す、この発明の実施形態の水着（実施例）では、身体長軸方向には、第２の領域２および第３の領域３に相当する部分の素材特性は、細線の矢印で示す高い伸縮性を有し、第１の領域１に相当する部分の素材特性は、第２の領域２および第３の領域３よりも低い伸縮性を有する。一方で、第１の領域１に相当する部分の素材特性と、第２の領域２および第３の領域３に相当する部分の素材特性との周囲方向には、太い矢印で示す通り低い伸縮性を有し、両者は同等である。
【００５７】
図６におけるＳ１〜Ｓ６は各領域の身体長軸方向および周囲方向の伸縮性を示す。この伸縮性は、オートグラフ万能試験機（株式会社島津製作所製）を用いて、引張り試験を行って算出した。条件は、５ｃｍ×２０ｃｍの試験片を用い、チャック間１０ｃｍ、引張り速度２０ｃｍ／ｍｉｎ、試行数は各伸縮性につき３試行であった。結果を図１３に示す。
【００５８】
４０％伸長時の荷重を計測した結果、この実施例は、第２の領域２および第３の領域３の身体長軸方向の伸縮性Ｓ３およびＳ５の４０％伸長時荷重は、第１の領域１の長軸方向の伸縮性Ｓ１と比較し、１９％小さかった。任意の伸長時の荷重が小さいほど伸縮性が高いことを示す。第２の領域２および第３の領域３の長軸方向の伸縮性Ｓ３およびＳ５は、第２の領域２および第３の領域３の周囲方向の伸縮性Ｓ４、Ｓ６よりも、３８％小さかった。
【００５９】
また、第２の領域２および第３の領域３の周囲方向の伸縮性Ｓ４およびＳ６は、第１の領域１の長軸方向の伸縮性Ｓ１よりも、２９％大きかった。
【００６０】
第２の領域２および第３の領域３の周囲方向の伸縮性Ｓ４およびＳ６は、第１の領域１の周囲方向の伸縮性Ｓ２とほぼ同等で、その差は３％以下であった。通常、生地製造上、生地全体で目付が均一にはいかないが、１０％未満に抑える努力がなされている。よって概ね±１０％未満の差は同伸縮性、それ以上の特性差があれば異伸縮性を有し、この発明の効果が得られる。
【００６１】
次に、この発明の実施例による効果の検証について説明する。
条件は、次の３つである。ヌード、比較用の水着、実施例の水着である。尚、比較用の水着は、全ての領域において、同じ素材を用いたものである。
測定項目は、伸縮性、皮膚および生地伸び、着圧、周囲長である。
【００６２】
図７に、上述の通り計測した、生地伸縮性を示す。値が小さいほど伸縮性が高いことを示している。長軸方向の伸縮性Ｓ３と伸縮性Ｓ１の関係は、比較用の水着では、Ｓ３＝Ｓ１であったのに対し、この実施例の水着ではＳ３＞Ｓ１となった。伸縮性Ｓ３と周囲方向の伸縮性Ｓ４の大小関係は、比較用水着とこの実施例の水着では逆転し、実施例の水着では伸縮性Ｓ４が低下した。伸縮性Ｓ２と伸縮性Ｓ４は同等であった。また、比較用水着の伸縮性Ｓ１と伸縮性Ｓ３の値に対して、この実施の形態の水着の伸縮性Ｓ１と伸縮性Ｓ３の値は大幅に低下している。尚、比較用水着は、長軸方向の伸縮性Ｓ１、Ｓ３、Ｓ７は同じ伸縮性を示し、周囲方向の伸縮性Ｓ２、Ｓ６、Ｓ１０は同じ伸縮性を示している。
【００６３】
皮膚および生地伸びは、身体に単一間隔で格子状に再帰反射マーカーを貼付し、ストリームライン姿勢および背泳模擬動作を行った際の、三次元マーカー座標を計測し、その座標値より、算出したものである。皮膚および生地伸びは格子の変形を示す。図８はストリームライン姿勢を保持した際の実施例の水着での生地伸び分布を示す。矢印は皮膚および生地伸びの方向を示す。（ａ）の領域Ａで囲った部分を算出した。被験者は女性１名であった。
【００６４】
図９において、第２の領域２における水着で覆われる領域Ｂについて、各条件の皮膚および生地伸び分布を詳細に示している。尚、ヌード条件での最大伸長を１００％とした。比較用水着の生地伸びを示す（ｈ）は、ヌード条件での皮膚伸びを示す（ｎ）と比較すると、ヌード条件でみられた４０％以上の生地伸びを示す領域が減少し、動作に生地が追従しないことが判る。これに対して、この実施例の水着では、濃いハッチングで示す４０％以上のエリアがみられ、全体的に３０％以上のエリアが増大した。このことから、この実施例では、生地がより動作に追従することが判る。ストリーム姿勢保持性が向上したことを示す。また、図１０に示す、背泳模擬動作でも、比較用水着に比べこの実施例の水着は生地伸びが増大し、より動作に追従することが認められた。
【００６５】
着圧について測定した結果を示す。被験者は、女性２名であり、それぞれの腹前、脇腹、胸の着圧を測定した結果を図１１に示している。図１１に示すように、腹前、脇腹、胸での着圧は、比較用水着と実施例の水着は同等であった。各着圧は各部位の周囲長に寄与し、投影面積に関連する。
【００６６】
周囲長について測定した結果を示す。被験者は、女性２名であり、図１２に示すように、バスト囲Ｂと、下腹囲での周囲Ｗの長さは、比較用水着よりも増大することはなかった。各部位の周囲長は、投影面積に関連する。この実施例では、投影面積に影響を及ぼすことなく、可動性を良好にできることが確認された。
【００６７】
上記の実験に用いたこの実施例の水着は、図１３の通りの伸縮性を有した。このような伸縮特性を有する本実施例の各領域の素材は次の通りであった。伸縮性の高低は、密度差により付与した。即ち、水着周囲方向の密度は第１の領域１、第２の領域２とも同等にして、長軸方向の密度を第１の領域１の方を第２の領域２より、やや高くして伸縮性の高低を付与した。密度の高い方が、スパンデックスの本数が多くなるので伸長および回復時の応力も高くなる。ただし、密度差をあまり大きくすると織糸のずれ（目よれ）等の問題が発生するため、１０本／インチ以内程度にすることが好ましく、今回は４本／インチ差とした。
【００６８】
尚、この発明の水着の形態は、肩ストラップのある男女用ワンピース水着が基本で、脚部のないタイプでも良い。
【００６９】
各領域の素材は、２ＷＡＹストレッチ編物または織物、不織布からなる。伸縮性の高低や異方性は、各方向の糸の種類や、糸の太さや、撚りの有無、組織の粗密などで、設けることが可能である。
【００７０】
上記の方法などで、一枚素材で水着上身頃を形成することが抵抗低減には好ましいが、伸縮特性の異なる素材を縫製やシームテープで組み合わせることも可能である。縫製部またはシームテープは伸縮性があることが望ましい。第２の領域２や第３の領域３に、縫製部やシームテープがないことが望ましい。また、第１の領域１内の素材は、デザイン上、複数の素材を組み合わせても構わないが、主な生地が、上記の伸縮性特性を有する。また、縫製線（第１の領域と第２の領域との間の線、第１の領域と第３の領域との間の線、等）の形状がデザイン上、曲線状や波形状やジグザグ線状等でも構わない。
【００７１】
また、第１の領域１をラバープリントやウレタンパネルなどの後加工で補強しても良い。また、生地を重ねることで補強しても構わない。この場合、別素材を重ねても構わない。
【００７２】
今回開示された実施の形態はすべての点で例示であって制限的なものではないと考えられるべきである。この発明の範囲は、上記した実施の形態の説明ではなくて特許請求の範囲によって示され、特許請求の範囲と均等の意味および範囲内でのすべての変更が含まれることが意図される。
【符号の説明】
【００７３】
１      第１の領域
２      第２の領域
３      第３の領域
１１    肩部
１２    臀部
１３    股間部
４１    前腋窩点
４２    後腋窩点
４４    前腋窩線
４５    後腋窩線
４６    ウエストライン
４７    第１の境界
４８    第２の境界
【図１】
2015086482.tif 000003
【図２】
2015086482.tif 000004
【図３】
2015086482.tif 000005
【図４】
2015086482.tif 000006
【図５】
2015086482.tif 000007
【図６】
2015086482.tif 000008
【図７】
2015086482.tif 000009
【図８】
2015086482.tif 000010
【図９】
2015086482.tif 000011
【図１０】
2015086482.tif 000012
【図１１】
2015086482.tif 000013
【図１２】
2015086482.tif 000014
【図１３】
2015086482.tif 000015
【図１４】
2015086482.tif 000016